(57)【要約】【課題】外表面及び密封対象の容器と接触可能な内表面を有する容器用の蓋であって、密封性が高く、強度も高く、製造及び操作は容易であるなどの利点が備わった蓋を提供すること。【解決手段】蓋１はシリコン材料製であり、蓋１は中央部２と当該中央部２を取り巻く外周部３とを含み、前記外周部３の厚さ範囲は２．０ｍｍ〜４．０ｍｍであり、前記中央部２の厚さは前記外周部３の厚さを上回っている。【選択図】図１
2006160372.tif 000002
【特許請求の範囲】
【請求項１】
外表面（５）及び密封対象の容器と接触可能な内表面（６）を有する容器用の蓋（１）であり、この蓋（１）はシリコン材料製であり、この蓋（１）は中央部（２）と当該中央部（２）を取り巻く外周部（３）とを含み、この外周部（３）の厚さ範囲は２．０ｍｍ〜４．０ｍｍであり、前記中央部（２）の厚さは前記外周部（３）の厚さを上回っていることを特徴とする容器用の蓋（１）。
【請求項２】
前記蓋（１）は円形シート形状となっており、前記中央部（２）は円形となっているとともに前記外表面（５）側は前記外周部（３）に対して突出しており、かつ前記中央部（２）の突出表面（７）上には抓み部（８）が形成されていることを特徴とする請求項１記載の容器用の蓋（１）。
【請求項３】
前記外周部（３）の局部上に凸耳（９）が形成されており、この凸耳（９）は前記外周部（３）の周縁から伸出していることを特徴とする請求項１または２記載の容器用の蓋（１）。
【請求項４】
前記中央部（２）と前記外周部（３）との間には円環形の過渡領域（４）が備わり、この過渡領域（４）は前記外表面（５）が前記外周部（３）に対して、前記過渡領域（４）の前記内表面（６）側が前記外周部（３）に対して突出する程度に窪んでおり、前記過渡領域（４）の厚さは前記外周部（３）の厚さを略下回っており、前記過渡領域（４）と前記中央部（２）との間の接続部上の当該外表面（５）側には複数本の力骨（１０）が形成されていることを特徴とする請求項２記載の容器用の蓋（１）。
【請求項５】
前記力骨（１０）の数量は８〜１８本であり、かつ前記中央部（２）の円周方向上に均一分布していることを特徴とする請求項４記載の容器用の蓋（１）。
【請求項６】
前記外表面（５）の前記外周部（３）上には複数本のスティフナ（１１）が備わっていることを特徴とする請求項２記載の容器用の蓋（１）。
【請求項７】
前記外表面（５）の前記外周部上には複数本のスティフナ（１１）が備わっていることを特徴とする請求項４記載の容器用の蓋（１）。
【請求項８】
前記スティフナ（１１）の数量は前記力骨（１０）の数量と等しく、かつそれらスティフナ（１１）はそれぞれ前記蓋（１）の径方向上において前記力骨（１０）と位置合わせしていることを特徴とする請求項７記載の容器用の蓋（１）。
【請求項９】
前記内表面（６）の前記過渡領域（４）が前記外周部（３）と相互に接する部位上には複数本の補強リブ（１２）が備わっていることを特徴とする請求項４記載の容器用の蓋（１）。
【請求項１０】
前記内表面（５）の前記過渡領域（４）が前記外周部（３）と相互に接する部位上には複数本の補強リブ（１２）が備わっており、前記補強リブ（１２）の数量は前記力骨（１０）の数量と等しく、かつそれら補強リブ（１２）はそれぞれ前記蓋（１）の径方向上において前記力骨（１０）と位置合わせしていることを特徴とする請求項５記載の容器用の蓋（１）。
【請求項１１】
前記抓み部（８）は横一文字状であり、かつ前記中央部（２）の前記突出表面（７）上に一体として突出して形成されていることを特徴とする請求項２記載の容器用の蓋（１）。
【請求項１２】
前記内表面（６）はその全範囲内において一致した表面光沢度を備えていることを特徴とする請求項４記載の容器用の蓋（１）。
【請求項１３】
前記過渡領域（４）の直径は前記容器の底部が前記過渡領域（４）及び前記中央部（２）の上に設置されることを許容するものであることを特徴とする請求項４記載の容器用の蓋（１）。
【請求項１４】
前記蓋（１）の寸法は前記容器の底部が前記蓋（１）上に設置されることを許容するものであることを特徴とする請求項４記載の容器用の蓋（１）。
【請求項１５】
前記外周部（３）箇所における前記外表面（５）及び前記内表面（６）はそれぞれ前記中央部（２）箇所における前記外表面（５）及び前記内表面（６）に対して平行ではないことを特徴とする請求項４記載の容器用の蓋（１）。
【発明の詳細な説明】
【技術分野】
【０００１】
本発明は容器用の蓋に関するものである。
【背景技術】
【０００２】
現在、食品を保管するため、一連の容器、例えば椀、盆などの多くは鮮度保持フィルムで包んで密封されており、食品を取り出す前には、鮮度保持フィルムを除去並びに廃棄しなければならないが、それは環境にとっては負担が大きい。そのため、このような使い捨て鮮度保持フィルムを利用して食品を保管する方式は環境保護にとっては不十分である。
【０００３】
また、一部の通常は食品を保管するプラスチック製トレーと付帯して使用される硬質のプラスチック製の蓋については、それらをプラスチック製トレーに設置した場合、硬質の蓋のプラスチックトレー内の食品に対する密封作用は強くないため、例えば、プラスチックトレー内の食品の匂いが容易に外部に漏出するか、またはプラスチックトレー内の食品が密封不良のために急速に変質し、味が変化する。
【発明の開示】
【発明が解決しようとする課題】
【０００４】
上記現有技術に基づき、本発明の主な目的は良好な密封効果を発揮することができる容器用の蓋を提供することである。
【０００５】
本発明の更なる目的は、密封性が高いばかりではなく、高い強度と多種類の用途を備えているとともに製造及び操作が容易な蓋を提供することである。
【課題を解決するための手段】
【０００６】
上記目的を実現するため、本発明では外表面及び密封対象の容器と接触可能な内表面を有する容器用の蓋が提供されており、前記蓋はシリコン材料製であり、前記蓋は中央部と当該中央部を取り巻く外周部とを含み、前記外周部の厚さ範囲は２．０ｍｍ〜４．０ｍｍであり、前記中央部の厚さは前記外周部の厚さを上回っている。
【０００７】
前記蓋について、蓋が弾性体材料、例えばシリコン材料製で、適当な厚さを備えており、かつ蓋の中央部が比較的厚いため、前記蓋を外周部が水平になるように密封対象の容器、例えば椀上に設置した際、蓋は中央部の重力作用下または手で中央部を少し押すだけでやや下に陥没するため、それにより容器内の一部空気が排出されて負圧が発生する。前記負圧が形成された後、前記内表面は容器の接触部位と緊密な密着状態を形成することができるため、前記容器内では前記負圧が維持されるとともに容器の密封状態も維持される。この種のシリコン製の蓋は寸法が異なる多種類の容器に繰返し使用することができるとともに蓋を施した際には容器の密封効果が顕著に向上する。また、シリコン材料には良好な断熱性が備わっているため、この種の蓋は容器内の物体を保温しなければならない場合に特に適している。更に、シリコン材料製であるため、当該蓋は例えば食器洗浄機で洗浄することも可能である。
【０００８】
一つの実施形式に基づくと、前記蓋は円形シート形状となっており、前記中央部は円形となっているとともに前記外表面側は前記外周部に対して突出しており、かつ前記中央部の突出表面上には抓み部が形成されている。ここにおいて、円形シート状の蓋は食器、例えば椀、皿などに特に適しており、前記負圧が高い場合、空の容器またはあまり重くない容器や内容物を持ち上げる際に、前記抓み部により利用者が容易に手で容器を持ち上げることができるため、前記容器の温度が非常に高くかまたは非常に低くかつ直接手で持つことに適していない場合には、当該容器を前記蓋により操作することが可能となる。
【０００９】
その他、前記外周部の局部上には凸耳が形成されており、前記凸耳は前記外周部の周辺から伸出している。前記凸耳により、非常に容易に前記蓋を開くことができるため、蓋の操作は簡略化されている。
【００１０】
本発明の適正実施例において、前記中央部と前記外周部との間には円環形の過渡領域が備わり、前記過渡領域は前記外表面が前記外周部に対して、前記過渡領域の前記内表面側が前記外周部に対して突出する程度に窪んでおり、かつ、前記過渡領域の厚さは前記外周部の厚さと等しいかまたは略下回っており、前記過渡領域と前記中央部との間の接続部上の外表面側には複数本の力骨が形成されている。当該実施例において、過渡領域の窪み構造は蓋がそれ自身の重力に依拠して前記密封効果を自動的に獲得することに非常に適しており、それと同時に、前記力骨により過渡領域と中央部との間の接続部が補強されているため、蓋の強度は向上している。ここにおいて、それら力骨の数量は８〜１８本であり、かつ前記中央部の円周方向上に均一分布していることが好適である。
【００１１】
その他、前記外表面の前記外周部上には複数本のスティフナを備えることができる。前記外周部及び前記接続部が共に力骨（スティフナ）を備えている場合、スティフナの数量は前記力骨の数量と等しく、かつそれらスティフナはそれぞれ前記蓋の径方向上において前記力骨と位置合わせしているか、または、スティフナの設置位置は径方向上において力骨に対してずれていることが好適であり、この種の補強構造を備えた蓋の製造は容易である。
【００１２】
別の実施例に基づくと、前記内表面の前記過渡領域が前記外周部と相互に接する部位上には複数本の補強リブが備わっている。その場合、前記内表面の前記過渡領域が前記外周部と相互に接する部位上には複数本の補強リブが備わり、前記補強リブの数量は前記力骨の数量と等しく、かつそれら補強リブはそれぞれ前記蓋の径方向上において前記力骨と位置合わせしていることが好適であり、また位置をずらして配置することも可能であり、この種の補強構造を備えた蓋の製造は容易であり、かつ強度は更に向上する。
【００１３】
また、前記抓み部は横一文字状であり、かつ前記中央部の前記突出表面上に一体として突出して形成されており、このようにすれば、抓み部の形成は容易である。抓み部の形状は横一文字状には限定されず、当該部位に円柱形突起を形成して抓み部とすることもできる。前記内表面はその全範囲内において一致した表面光沢度を備えており、このようにすれば、加工は簡便である。
【００１４】
更に、前記過渡領域の直径は前記容器の底部が前記過渡領域及び前記中央部の上に設置されることを許容するものであり、また、前記蓋の寸法は前記容器の底部が前記蓋上に設置されることを許容するものであり、それにより当該蓋を下敷きとして使用することも許容される。前記蓋が下敷きとして使用される場合には、シリコン材料の断熱性が効果的に発揮される。
【００１５】
その他、前記外周部箇所における前記外表面及び前記内表面はそれぞれ前記中央部箇所における前記外表面及び前記内表面に対して平行ではない。
【００１６】
本発明の容器用の蓋の密封保温構造には、密封性が高く、強度も高く、製造及び操作は容易であるなどの利点が備わっている。
【発明の効果】
【００１７】
以上、詳述した通り、本発明においては、
「外表面（５）及び密封対象の容器と接触可能な内表面（６）を有する容器用の蓋（１）であり、この蓋（１）はシリコン材料製であり、この蓋（１）は中央部（２）と当該中央部（２）を取り巻く外周部（３）とを含み、この外周部（３）の厚さ範囲は２．０ｍｍ〜４．０ｍｍであり、前記中央部（２）の厚さは前記外周部（３）の厚さを上回っていること」
にその構成上の主たる特徴があり、これにより、密封性が高いばかりではなく、高い強度と多種類の用途を備えているとともに製造及び操作が容易な容器用の蓋（１）を提供することができるのである。
【発明を実施するための最良の形態】
【００１８】
図１に示されているのは本発明における蓋１の一つの実施例であり、当該蓋はシリコン材料であるため柔軟で弾性を備えている。当該実施例において、蓋１は円形シート状となっているとともに、中央部２、当該中央部２を取り巻く外周部３及び中央部２と外周部３との間の過渡領域４を備えている。また、前記蓋１は外表面５及び密封対象の容器（未表示）と接触可能な内表面６を備えている。前記外周部３の厚さは２．０ｍｍ〜４．０ｍｍであり、中央部２の厚さは外周部３の厚さを上回っており、かつ当該蓋１の内表面６は外周部３箇所において比較的光沢を備えている。ここにおいて、例えばシリコン製円形シートを機械加工することにより、前記表面をポリシングすることが可能である。
【００１９】
蓋１は円形シート状とすることができ、その他形状、例えば方形、楕円形などとすることもできる。円形シート状を呈する場合、中央部２は円形であるとともに当該中央部の外表面５側は外周部３に対して突出していることが好適である。また、中央部２の突出表面７上には抓み部８が形成されている。図１に示されている実施例において、抓み部８は横一文字序を呈して中央部２の突出表面７上に一体として突出して形成されている。しかし、抓み部８も例えば円柱形、直方体形、球形などの形状とすることができる。その他、外周部３の局部上には凸耳９が形成されており、前記凸耳は外周部３の周縁から伸出しているため、利用者は凸耳９を利用して蓋１を操作することが可能である。
【００２０】
中央部２と外周部３との間に形成されている円環形の過渡領域４は必須ではない。当該過渡領域４が形成されている場合、過渡領域４は外表面５側が外周部３に対して、過渡領域４の前記内表面６側が前記外周部３に対して突出する程度に窪んでいる。ここにおいて、過渡領域４の厚さは外周部３の厚さと等しいかまたは略下回っており、かつ、外表面５側において、過渡領域４と中央部２との間の接続部上に複数本の力骨１０が形成されていることが好適である。力骨１０の数量は８〜１８本であり、かつ前記中央部２の円周方向上に均一分布していることが好適である。その他、外表面５は外周部３上に複数本のスティフナ１１を備えることも可能である。それらスティフナ１１の数量は前記力骨１０の数量と等しく、かつそれらスティフナ１１はそれぞれ蓋１の径方向上において前記力骨１０と、図１に示されている通り、位置合わせしていることが好適である。その場合には、内表面６も過渡領域４が外周部３と相互に接する部位上に複数本の補強リブ１２を、図１２に示されている通り、備えることが可能である。ここにおいて、補強リブ１２の数量も力骨１０の数量と等しく、かつ補強リブ１２はそれぞれ蓋１の径方向上において力骨１０及び／またはスティフナ１１と位置合わせしていることが好適であり、それにより、蓋１の全体としての強度は更に向上する。力骨１０、スティフナ１１及び補強リブ１２の形状、数量及び位置について、本発明において特別な制限はなく、上記で例示した数量８〜１８本は優先案に過ぎない。
【００２１】
本発明において、中央部２箇所及び過渡領域４の内表面６の表面光沢度は外周部３箇所の内表面６の表面光沢度と等しくすることができ、それにより内表面６の表面光沢度の加工を簡略化する助けとなる。その他、外周部３箇所の外表面５及び内表面６はそれぞれ中央部２箇所の外表面５及び内表面６に対して、図３、４に示されている通り、平行ではないことが好適であり、中央部２が外周部３上に突出している場合、外表面５及び内表面６は外周部３から中央部２に向けて前記突出方向上において傾斜して延伸していることが好適である。
【００２２】
蓋１を外周部３が密封対象の容器、例えば椀上に水平に位置するよう設置する場合、蓋１は中央部２の重力作用下または手で中央部２を少し押すだけでやや下に陥没するため、それにより容器内の一部空気が排出されて負圧が発生する。前記負圧が形成された後、内表面６は容器の接触部位と緊密な密着状態を形成するため、容器内では前記負圧が維持されるとともに容器の密封状態も維持される。この種のシリコン製の蓋は寸法が異なる多種類の容器に繰返し使用することができるとともに蓋を施した際には容器の密封効果が顕著に向上する。また、シリコン材料には良好な断熱性が備わっているため、この種の蓋１は容器内の物体を保温しなければならない場合に特に適している。更に、シリコン材料製であるため、蓋１は例えば食器洗浄機で洗浄することも可能である。
【００２３】
前記蓋１はその他用途に使用することも可能である。過渡領域４の直径が容器、例えば椀の内側に窪んだ底部が過渡領域４及び中央部２の上に設置されることを許容するように設定されているとすれば、それにより確実に設置することができ、ここにおいて、シリコン材料の良好な断熱性能が効果を発揮する。また、前記蓋１の寸法は容器の底部が蓋全体上に設置されることも許容している。その他、本発明の蓋は調理時に調理鍋の鍋面上を覆い、油滴の飛散を防止することもでき、その場合には抓み部の助けを借りなければならないが、シリコン材料はそれに対して悪影響は及ぼさない。実際上において、本発明に基づく蓋には多種類の用途が備わっている。
【００２４】
ここにおいては、実施例に基づき本発明について説明したが、本発明は上記実施例に限定されるものではない。明細書及び添付図内で言及されている技術的特徴は単独でまたはその他の組合せ形式により新たな保護テーマとなることが可能である。
【図面の簡単な説明】
【００２５】
【図１】本発明における蓋の正面図である。
【図２】本発明における蓋の底面図である。
【図３】本発明における蓋の左側面図である。
【図４】本発明における蓋の右側面図である。
【図５】本発明における蓋の上方からみた斜視図である。
【図６】本発明における蓋の下方からみた斜視図である。
【符号の説明】
【００２６】
１    蓋
２    中央部
３    外周部
４    過渡領域
５    外表面
６    内表面
７    突出表面
８    抓み部
９    凸耳
１０  力骨
１１  スティフナ
１２  補強リブ
【図１】
2006160372.tif 000003
【図２】
2006160372.tif 000004
【図３】
2006160372.tif 000005
【図４】
2006160372.tif 000006
【図５】
2006160372.tif 000007
【図６】
2006160372.tif 000008